【手続補正書】
【提出日】平成26年3月19日(2014.3.19)
【手続補正１】
【補正対象書類名】特許請求の範囲
【補正対象項目名】全文
【補正方法】変更
【補正の内容】
【特許請求の範囲】
【請求項１】
複数の下りリンクコンポーネントキャリアにおける複数の物理下りリンク共用チャネルでの送信に対するＨＡＲＱにおける制御情報を、第１の物理上りリンク制御チャネルリソースを使用して基地局装置へ送信する移動局装置であって、
コモンサーチスペースのみにおける１つの物理下りリンク制御チャネルのみの検出に基づいて指示された、ある特定の下りリンクコンポーネントキャリアのみにおける１つの物理下りリンク共用チャネルでの送信に対するＨＡＲＱにおける制御情報を、前記第１の物理上りリンク制御チャネルリソースとは異なる第２の物理上りリンク制御チャネルリソースを使用して、前記基地局装置へ送信する
ことを特徴とする移動局装置。
【請求項２】
コモンサーチスペースおよびユーザー装置スペシフィックサーチスペースにおける複数の物理下りリンク制御チャネルの検出に基づいて指示された、複数の物理下りリンク共用チャネルでの送信に対するＨＡＲＱにおける制御情報を、前記第１の物理上りリンク制御チャネルリソースを使用して、前記基地局装置へ送信する
ことを特徴とする請求項１に記載の移動局装置。
【請求項３】
複数の下りリンクコンポーネントキャリアにおける複数の物理下りリンク共用チャネルでの送信に対するＨＡＲＱにおける制御情報を、第１の物理上りリンク制御チャネルフォーマットを使用して基地局装置へ送信する移動局装置であって、
コモンサーチスペースのみにおける１つの物理下りリンク制御チャネルのみの検出に基づいて指示された、ある特定の下りリンクコンポーネントキャリアのみにおける１つの物理下りリンク共用チャネルでの送信に対するＨＡＲＱにおける制御情報を、前記第１の物理上りリンク制御チャネルフォーマットとは異なる第２の物理上りリンク制御チャネルフォーマットを使用して、前記基地局装置へ送信する
ことを特徴とする移動局装置。
【請求項４】
コモンサーチスペースおよびユーザー装置スペシフィックサーチスペースにおける複数の物理下りリンク制御チャネルの検出に基づいて指示された、複数の物理下りリンク共用チャネルでの送信に対するＨＡＲＱにおける制御情報を、前記第１の物理上りリンク制御チャネルフォーマットを使用して、前記基地局装置へ送信する
ことを特徴とする請求項３に記載の移動局装置。
【請求項５】
前記物理下りリンク共用チャネルでの送信は、Ｃ−ＲＮＴＩによってスクランブルされたＣＲＣビットを伴う前記物理下りリンク制御チャネルの検出に基づいて指示される
ことを特徴とする請求項１から請求項４のいずれかに記載の移動局装置。
【請求項６】
前記ユーザー装置スペシフィックサーチスペースは、前記Ｃ−ＲＮＴＩに基づいて与えられる
ことを特徴とする請求項５に記載の移動局装置。
【請求項７】
前記ＨＡＲＱに関する情報は、ＡＣＫ／ＮＡＣＫを示す情報を含む
ことを特徴とする請求項１から請求項６のいずれかに記載の移動局装置。
【請求項８】
複数の下りリンクコンポーネントキャリアにおける複数の物理下りリンク共用チャネルでの送信に対するＨＡＲＱにおける制御情報を、第１の物理上りリンク制御チャネルリソースを使用して移動局装置から受信する基地局装置であって、
コモンサーチスペースのみにおける１つの物理下りリンク制御チャネルのみを使用してスケジュールしたある特定の下りリンクコンポーネントキャリアのみにおける１つの物理下りリンク共用チャネルでの送信に対するＨＡＲＱにおける制御情報を、前記第１の物理上りリンク制御チャネルリソースとは異なる第２の物理上りリンク制御チャネルリソースを使用して、前記移動局装置から受信する
ことを特徴とする基地局装置。
【請求項９】
コモンサーチスペースおよびユーザー装置スペシフィックサーチスペースにおける複数の物理下りリンク制御チャネルを使用してスケジュールした複数の物理下りリンク共用チャネルでの送信に対するＨＡＲＱにおける制御情報を、前記第１の物理上りリンク制御チャネルリソースを使用して、前記移動局装置から受信する
ことを特徴とする請求項８に記載の基地局装置。
【請求項１０】
複数の下りリンクコンポーネントキャリアにおける複数の物理下りリンク共用チャネルでの送信に対するＨＡＲＱにおける制御情報を、第１の物理上りリンク制御チャネルフォーマットを使用して移動局装置から受信する基地局装置であって、
コモンサーチスペースのみにおける１つの物理下りリンク制御チャネルのみを使用してスケジュールしたある特定の下りリンクコンポーネントキャリアのみにおける１つの物理下りリンク共用チャネルでの送信に対するＨＡＲＱにおける制御情報を、前記第１の物理上りリンク制御チャネルフォーマットとは異なる第２の物理上りリンク制御チャネルフォーマットを使用して、前記移動局装置から受信する
ことを特徴とする基地局装置。
【請求項１１】
コモンサーチスペースおよびユーザー装置スペシフィックサーチスペースにおける複数の物理下りリンク制御チャネルを使用してスケジュールした複数の物理下りリンク共用チャネルでの送信に対するＨＡＲＱにおける制御情報を、前記第１の物理上りリンク制御チャネルフォーマットを使用して、前記移動局装置から受信する
ことを特徴とする請求項１０に記載の基地局装置。
【請求項１２】
前記物理下りリンク共用チャネルでの送信は、Ｃ−ＲＮＴＩによってスクランブルされたＣＲＣビットを伴う前記物理下りリンク制御チャネルを使用してスケジュールされる
ことを特徴とする請求項８から請求項１１のいずれかに記載の基地局装置。
【請求項１３】
前記ユーザー装置スペシフィックサーチスペースは、前記Ｃ−ＲＮＴＩに基づいて与えられる
ことを特徴とする請求項１２に記載の基地局装置。
【請求項１４】
前記ＨＡＲＱに関する情報は、ＡＣＫ／ＮＡＣＫを示す情報を含む
ことを特徴とする請求項８から請求項１３のいずれかに記載の基地局装置。
【請求項１５】
複数の下りリンクコンポーネントキャリアにおける複数の物理下りリンク共用チャネルでの送信に対するＨＡＲＱにおける制御情報を、第１の物理上りリンク制御チャネルリソースを使用して基地局装置へ送信する移動局装置の通信方法であって、
コモンサーチスペースのみにおける１つの物理下りリンク制御チャネルのみの検出に基づいて指示された、ある特定の下りリンクコンポーネントキャリアのみにおける１つの物理下りリンク共用チャネルでの送信に対するＨＡＲＱにおける制御情報を、前記第１の物理上りリンク制御チャネルリソースとは異なる第２の物理上りリンク制御チャネルリソースを使用して、前記基地局装置へ送信する
ことを特徴とする通信方法。
【請求項１６】
複数の下りリンクコンポーネントキャリアにおける複数の物理下りリンク共用チャネルでの送信に対するＨＡＲＱにおける制御情報を、第１の物理上りリンク制御チャネルフォーマットを使用して基地局装置へ送信する移動局装置の通信方法であって、
コモンサーチスペースのみにおける１つの物理下りリンク制御チャネルのみの検出に基づいて指示された、ある特定の下りリンクコンポーネントキャリアのみにおける１つの物理下りリンク共用チャネルでの送信に対するＨＡＲＱにおける制御情報を、前記第１の物理上りリンク制御チャネルフォーマットとは異なる第２の物理上りリンク制御チャネルフォーマットを使用して、前記基地局装置へ送信する
ことを特徴とする通信方法。
【請求項１７】
複数の下りリンクコンポーネントキャリアにおける複数の物理下りリンク共用チャネルでの送信に対するＨＡＲＱにおける制御情報を、第１の物理上りリンク制御チャネルリソースを使用して移動局装置から受信する基地局装置の通信方法であって、
コモンサーチスペースのみにおける１つの物理下りリンク制御チャネルのみを使用してスケジュールしたある特定の下りリンクコンポーネントキャリアのみにおける１つの物理下りリンク共用チャネルでの送信に対するＨＡＲＱにおける制御情報を、前記第１の物理上りリンク制御チャネルリソースとは異なる第２の物理上りリンク制御チャネルリソースを使用して、前記移動局装置から受信する
ことを特徴とする通信方法。
【請求項１８】
複数の下りリンクコンポーネントキャリアにおける複数の物理下りリンク共用チャネルでの送信に対するＨＡＲＱにおける制御情報を、第１の物理上りリンク制御チャネルフォーマットを使用して移動局装置から受信する基地局装置の通信方法であって、
コモンサーチスペースのみにおける１つの物理下りリンク制御チャネルのみを使用してスケジュールしたある特定の下りリンクコンポーネントキャリアのみにおける１つの物理下りリンク共用チャネルでの送信に対するＨＡＲＱにおける制御情報を、前記第１の物理上りリンク制御チャネルフォーマットとは異なる第２の物理上りリンク制御チャネルフォーマットを使用して、前記移動局装置から受信する
ことを特徴とする通信方法。
【請求項１９】
複数の下りリンクコンポーネントキャリアにおける複数の物理下りリンク共用チャネルでの送信に対するＨＡＲＱにおける制御情報を、第１の物理上りリンク制御チャネルリソースを使用して基地局装置へ送信する移動局装置に搭載される集積回路であって、
コモンサーチスペースのみにおける１つの物理下りリンク制御チャネルのみの検出に基づいて指示された、ある特定の下りリンクコンポーネントキャリアのみにおける１つの物理下りリンク共用チャネルでの送信に対するＨＡＲＱにおける制御情報を、前記第１の物理上りリンク制御チャネルリソースとは異なる第２の物理上りリンク制御チャネルリソースを使用して、前記基地局装置へ送信する機能を、前記移動局装置に発揮させる
ことを特徴とする集積回路。
【請求項２０】
複数の下りリンクコンポーネントキャリアにおける複数の物理下りリンク共用チャネルでの送信に対するＨＡＲＱにおける制御情報を、第１の物理上りリンク制御チャネルフォーマットを使用して基地局装置へ送信する移動局装置に搭載される集積回路であって、
コモンサーチスペースのみにおける１つの物理下りリンク制御チャネルのみの検出に基づいて指示された、ある特定の下りリンクコンポーネントキャリアのみにおける１つの物理下りリンク共用チャネルでの送信に対するＨＡＲＱにおける制御情報を、前記第１の物理上りリンク制御チャネルフォーマットとは異なる第２の物理上りリンク制御チャネルフォーマットを使用して、前記基地局装置へ送信する機能を、前記移動局装置に発揮させる
ことを特徴とする集積回路。
【請求項２１】
複数の下りリンクコンポーネントキャリアにおける複数の物理下りリンク共用チャネルでの送信に対するＨＡＲＱにおける制御情報を、第１の物理上りリンク制御チャネルリソースを使用して移動局装置から受信する基地局装置に搭載される集積回路であって、
コモンサーチスペースのみにおける１つの物理下りリンク制御チャネルのみを使用してスケジュールしたある特定の下りリンクコンポーネントキャリアのみにおける１つの物理下りリンク共用チャネルでの送信に対するＨＡＲＱにおける制御情報を、前記第１の物理上りリンク制御チャネルリソースとは異なる第２の物理上りリンク制御チャネルリソースを使用して、前記移動局装置から受信する機能を、前記基地局装置に発揮させる
ことを特徴とする集積回路。
【請求項２２】
複数の下りリンクコンポーネントキャリアにおける複数の物理下りリンク共用チャネルでの送信に対するＨＡＲＱにおける制御情報を、第１の物理上りリンク制御チャネルフォーマットを使用して移動局装置から受信する基地局装置に搭載される集積回路であって、
コモンサーチスペースのみにおける１つの物理下りリンク制御チャネルのみを使用してスケジュールしたある特定の下りリンクコンポーネントキャリアのみにおける１つの物理下りリンク共用チャネルでの送信に対するＨＡＲＱにおける制御情報を、前記第１の物理上りリンク制御チャネルフォーマットとは異なる第２の物理上りリンク制御チャネルフォーマットを使用して、前記移動局装置から受信する機能を、前記基地局装置に発揮させる
ことを特徴とする集積回路。